(57)【要約】【課題】その新規着脱部材を装着するだけで、当該新規着脱部材に関する情報を印刷装置本体側に移植することができる印刷装置および当該着脱部材を提供する。【解決手段】本発明に係る印刷装置１０は、着脱部材１７、２２、Ｍ等を装着する装着部、および各部の動作を制御する制御部４３を有する印刷装置において、新規の前記着脱部材である新規着脱部材１７、２２、Ｍ等の情報を記憶する本体側記憶部４４を有し、前記新規着脱部材１７、２２、Ｍ等には、該新規着脱部材の情報が記憶された部材側記憶部１７ｍ、２２ｍ、Ｍｍ等が設けられており、前記制御部４３は、前記新規着脱部材１７、２２、Ｍ等の前記装着部への装着に伴って、該新規着脱部材１７、２２、Ｍ等の情報を前記部材側記憶部１７ｍ、２２ｍ、Ｍｍから読み込んで前記本体側記憶部４４へ記憶させる。【選択図】図２
2012236333.tif 000002
【特許請求の範囲】
【請求項１】
着脱部材を装着する装着部、および各部の動作を制御する制御部を有する印刷装置において、
新規の前記着脱部材である新規着脱部材の情報を記憶する本体側記憶部を有し、
前記新規着脱部材には、該新規着脱部材の情報が記憶された部材側記憶部が設けられており、
前記制御部は、前記新規着脱部材の前記装着部への装着に伴って、該新規着脱部材の情報を前記部材側記憶部から読み込んで前記本体側記憶部へ記憶させること
を特徴とする印刷装置。
【請求項２】
前記本体側記憶部は、前記新規着脱部材の情報を、既存の前記着脱部材である既存着脱部材の情報と並列に記憶する記憶領域を有すること
を特徴とする請求項１記載の印刷装置。
【請求項３】
前記制御部は、前記装着部に装着された着脱部材が前記新規着脱部材もしくは前記既存着脱部材のいずれであるかを識別し、前記新規着脱部材である場合には、該新規着脱部材の部材側記憶部に記憶されている情報を読み込んで、前記既存着脱部材の情報と並列に、前記本体側記憶部へ記憶させること
を特徴とする請求項２記載の印刷装置。
【請求項４】
前記制御部は、前記装着部に装着された着脱部材が前記新規着脱部材もしくは前記既存着脱部材のいずれであるかを識別し、前記既存着脱部材である場合には、該既存着脱部材の部材側記憶部に記憶されている情報を読み込んで、前記本体側記憶部に記憶されている既存着脱部材の情報に追加もしくはその一部に上書きさせること
を特徴とする請求項２記載の印刷装置。
【請求項５】
前記情報は、前記着脱部材の固有の特性値である固定情報と、該着脱部材の使用により更新される更新情報と、からなること
を特徴とする請求項１〜４のいずれか一項に記載の印刷装置。
【請求項６】
請求項１〜５のいずれか一項に記載の印刷装置の装着部に装着される前記新規着脱部材としての記録メディアにおいて、
該新規着脱部材の情報が記憶された部材側記憶部が設けられていること
を特徴とする記録メディア。
【請求項７】
請求項１〜５のいずれか一項に記載の印刷装置の装着部に装着される前記新規着脱部材としてのインクカートリッジにおいて、
該新規着脱部材の情報が記憶された部材側記憶部が設けられていること
を特徴とするインクカートリッジ。
【請求項８】
請求項１〜５のいずれか一項に記載の印刷装置の装着部に装着される前記新規着脱部材としての記録ヘッドにおいて、
該新規着脱部材の情報が記憶された部材側記憶部が設けられていること
を特徴とする記録ヘッド。
【発明の詳細な説明】
【技術分野】
【０００１】
本発明は、印刷装置および印刷装置の着脱部材に関し、さらに詳細には、記録ヘッドの吐出ノズルからインクを吐出して印刷を施す印刷装置および当該印刷装置に着脱される着脱部材に関する。
【背景技術】
【０００２】
上記印刷装置の例としてインクジェットプリンタが挙げられ、従来より種々の構成のものが知られている。例えば、被印刷対象物であるシート状の記録メディアを支持するためのプラテン、およびこのプラテンの上側にプラテンに対向させた記録ヘッドを設けた構成が知られている。記録ヘッドは、例えば、マゼンタ（Ｍ）、イエロー（Ｙ）、シアン（Ｃ）およびブラック（Ｋ）の色毎に設けられており、プラテンに対向した面には多数の吐出ノズルが形成されている。当該吐出ノズルから吐出されるインクは、インクカートリッジから記録ヘッドに供給される。この構成の印刷装置においては、記録ヘッドを左右に往復移動させる動作と、これに対して直交する前後方向に記録メディアを相対移動させる動作とを組み合わせて行いながら、プラテンに支持された記録メディアに向けて吐出ノズルからインク（インク滴）を吐出させる制御を行い、記録メディアの表面に所望の印刷を施すようになっている。
【０００３】
上記構成に例示される印刷装置において、例えば、記録ヘッド、インクカートリッジ等は交換可能な着脱部材として設けられる構成が知られている。また、種々の材質のものが用いられる記録メディアも着脱部材として構成されている。
【０００４】
ここで、着脱部材の交換時に、装着された着脱部材が備えている印刷環境に関する情報を印刷装置に読み込ませてから印刷を行う従来技術が知られている（特許文献１〜３参照）。
【先行技術文献】
【特許文献】
【０００５】
【特許文献１】特許第２５９４９１２号公報
【特許文献２】特開平６−３２０７３２号公報
【特許文献３】特開２００３−００１８７６号公報
【発明の概要】
【発明が解決しようとする課題】
【０００６】
ところで、特許文献１、２に開示される印刷装置では、印刷装置を市場に投入後に、新しい種類の構成部品（インクカートリッジ、記録ヘッド等）、あるいは新しい種類の被印刷対象物（記録メディア等）が供給されることが多々ある。しかしながら、これらを既存の印刷装置で使用可能とするためには、印刷装置本体のプログラムが書き込まれたメモリを交換する作業が必要となる。当該作業はユーザーが行うことが困難であり、サービスマンが出向いて行わねばならないために、多大な費用がかかるという課題があった。
一方、特許文献３に開示される印刷装置では、新しい種類の記録メディアの全ての印刷環境テーブルを印刷装置に読み込ませるので、印刷装置のプログラムが書き込まれたメモリを交換する必要は無い。しかし、電源オン、印刷開始、記録メディアの交換等の度に多量のデータを印刷装置側に読み込ませねばならず、動作全般に時間がかかる。さらに、容量の大きなメモリを記録メディアの１本毎に装着するので、記録メディアの単価も高くなるという課題があった。なお、当該特許文献３に開示される印刷装置では、新規に市場投入された記録メディアがあった場合、その記録メディアが何であるかを操作者に知らせる手段については開示されていない。
【０００７】
このように、上記従来技術は、印刷装置に既に登録されている着脱部材（以下、「既存着脱部材」という場合がある）における印刷環境に関する情報（インク残量、履歴、印刷環境テーブル等）を記憶する技術であって、印刷装置に未登録である着脱部材（以下、「新規着脱部材」という場合がある）の情報を記憶する技術ではない。
そのため、未登録の新規着脱部材を装着しようとする場合にサービスマン等の人手によるメモリ交換作業を不要とし、この新規着脱部材を印刷装置の装着部に装着するだけで、新規着脱部材の情報を取り込むことができる印刷装置が要望されていた。
【０００８】
本発明は、上記課題に鑑みてなされたものであり、印刷装置の販売当時に未登録であった新規着脱部材が製品化されて市場に供給された場合であっても、その新規着脱部材を装着するだけで、換言すれば、ユーザーの手を煩わせることなく、新規着脱部材に関する情報を印刷装置本体側に移植することができる印刷装置および当該着脱部材を提供することを目的とする。
【課題を解決するための手段】
【０００９】
一実施形態として、以下に開示するような解決手段により、前記課題を解決する。
【００１０】
開示の印刷装置は、着脱部材を装着する装着部、および各部の動作を制御する制御部を有する印刷装置において、新規の前記着脱部材である新規着脱部材の情報を記憶する本体側記憶部を有し、前記新規着脱部材には、該新規着脱部材の情報が記憶された部材側記憶部が設けられており、前記制御部は、前記新規着脱部材の前記装着部への装着に伴って、該新規着脱部材の情報を前記部材側記憶部から読み込んで前記本体側記憶部へ記憶させることを特徴とする。これによれば、サービスマン等の人手によるメモリ交換作業を行わずとも、新規着脱部材を装着するだけで当該新規着脱部材に関する情報を印刷装置本体側に移植することが可能となる。
【００１１】
また、本発明において、前記本体側記憶部は、前記新規着脱部材の情報を、既存の前記着脱部材である既存着脱部材の情報と並列に記憶する記憶領域を有することが好ましい。これによれば、新規着脱部材の情報を、既存着脱部材の情報に上書きすることなく、本体側記憶部に記憶させることが可能となる。
【００１２】
また、本発明において、前記制御部は、前記装着部に装着された着脱部材が前記新規着脱部材もしくは前記既存着脱部材のいずれであるかを識別し、前記新規着脱部材である場合には、該新規着脱部材の部材側記憶部に記憶されている情報を読み込んで、前記既存着脱部材の情報と並列に、前記本体側記憶部へ記憶させることが好ましい。これによれば、着脱部材が新規着脱部材もしくは既存着脱部材のいずれであるかを識別することができ、新規着脱部材である場合にその情報を新たに記憶させることが可能となる。
【００１３】
また、本発明において、前記制御部は、前記装着部に装着された着脱部材が前記新規着脱部材もしくは前記既存着脱部材のいずれであるかを識別し、前記既存着脱部材である場合には、該既存着脱部材の部材側記憶部に記憶されている情報を読み込んで、前記本体側記憶部に記憶されている既存着脱部材の情報に追加もしくはその一部に上書きさせることが好ましい。これによれば、着脱部材が新規着脱部材もしくは既存着脱部材のいずれであるかを識別することができ、既存着脱部材である場合にその情報を更新させることが可能となる。
【００１４】
また、本発明において、前記情報は、前記着脱部材の固有の特性値である固定情報と、該着脱部材の使用により更新される更新情報と、からなることが好ましい。これによれば、着脱部材の固有の特性値および使用により更新される情報のいずれも本体側記憶部に記憶させることが可能となる。
【００１５】
開示の記録メディアは、前記の印刷装置の装着部に装着される前記新規着脱部材としての記録メディアにおいて、該新規着脱部材の情報が記憶された部材側記憶部が設けられていることを特徴とする。これによれば、前記の印刷装置において、装着するだけで新規着脱部材の情報を印刷装置本体側に移植することが可能な記録メディアが実現される。
【００１６】
開示のインクカートリッジは、前記の印刷装置の装着部に装着される前記新規着脱部材としてのインクカートリッジにおいて、該新規着脱部材の情報が記憶された部材側記憶部が設けられていることを特徴とする。これによれば、前記の印刷装置において、装着するだけで新規着脱部材の情報を印刷装置本体側に移植することが可能なインクカートリッジが実現される。
【００１７】
開示の記録ヘッドは、前記の印刷装置の装着部に装着される前記新規着脱部材としての記録ヘッドにおいて、該新規着脱部材の情報が記憶された部材側記憶部が設けられていることを特徴とする。前記の印刷装置において、装着するだけで新規着脱部材の情報を印刷装置本体側に移植することが可能な記録ヘッドが実現される。
【発明の効果】
【００１８】
開示の印刷装置によれば、新規着脱部材を装着するだけで、当該新規着脱部材に関する情報を印刷装置本体側に移植することが可能となる。
【図面の簡単な説明】
【００１９】
【図１】本発明の実施形態に係る印刷装置の例を示す概略図である。
【図２】図１の印刷装置の制御系統図である。
【図３】図１の印刷装置の本体側記憶部におけるインクカートリッジ用のメモリ配分の設定例を示す説明図である。
【図４】図１の印刷装置の本体側記憶部における記録ヘッド用のメモリ配分の設定例を示す説明図である。
【図５】図１の印刷装置の本体側記憶部における記録メディア用のメモリ配分の設定例を示す説明図である。
【図６】図１の印刷装置の着脱部材（インクカートリッジ）に設けられる部材側記憶部に記憶された情報の例を示す説明図である。
【図７】図１の印刷装置の着脱部材（記録ヘッド）に設けられる部材側記憶部に記憶された情報の例を示す説明図である。
【図８】図１の印刷装置の着脱部材（記録メディア）に設けられる部材側記憶部に記憶された情報の例を示す説明図である。
【図９】図１の印刷装置の動作フローを示すフローチャートである。
【発明を実施するための形態】
【００２０】
以下、図面を参照して、本発明の実施形態について詳しく説明する。ここでは、本実施形態に係る印刷装置として、インクジェットプリンタの場合を例に挙げて説明を行う。なお、実施形態を説明するための全図において、同一の機能を有する部材には同一の符号を付し、その繰り返しの説明は省略する場合がある。
【００２１】
図１に、印刷装置（ここでは、インクジェットプリンタ）１０の構成を示す。なお、説明の便宜上、図１において矢印方向で印刷装置１０の左右、および上下方向を示す。また、図１における紙面の前後方向を印刷装置１０の前後方向とする。以下、これらの方向を用いて説明を行う。
【００２２】
印刷装置１０は、図１に示すように、左右の支持脚１１ａ、１１ｂを有した支持脚１１と、支持脚１１により支持された中央ボディ部１２と、中央ボディ部１２の右側に設けられた右ボディ部１３と、中央ボディ部１２の左側に設けられた左ボディ部１４と、左右ボディ部１３、１４を繋ぐとともに中央ボディ部１２の上側に離間して平行に延びた上ボディ部１５とを備えて構成される。この印刷装置１０は、右ボディ部１３の内部に設けられたコントロールユニット４０により、各部の動作制御が行われるようになっている（詳細については後述）。
【００２３】
上ボディ部１５の内部には、左右に延びたガイドレール１５ａが設けられており、このガイドレール１５ａに対してヘッドユニット２０が取り付けられている。ヘッドユニット２０は、ガイドレール１５ａに取り付けられて左右に移動自在となったキャリッジ２１、およびキャリッジ２１に搭載された記録ヘッド（ここでは、インクジェットヘッド）２２から構成される。記録ヘッド２２は、一例として、ブラックインクを吐出するブラックヘッド２２Ｋ、マゼンタインクを吐出するマゼンタヘッド２２Ｍ、イエローインクを吐出するイエローヘッド２２Ｙ、シアンインクを吐出するシアンヘッド２２Ｃ、およびホワイトインクを吐出するホワイトヘッド２２Ｗから構成されており、図示しない装着部（記録ヘッド装着部）を介してキャリッジ２１に装着される。記録ヘッド２２の下面には、インクを記録メディアＭに向けて下方へ吐出する複数の吐出ノズル（図示せず）が形成されている。例えば、１８０個の吐出ノズルを前後方向に直線状に整列させて形成されたノズル列が、左右方向に８列並べられて形成される。各吐出ノズルにおけるインクの吐出制御は、コントロールユニット４０から各記録ヘッド２２に出力される駆動制御信号により行われる。なお、記録ヘッド２２の「装着」には、当該記録ヘッド２２と印刷装置１０（装着部）との電気的接続（一例として、図示しない配線コネクタ同士の接続）も含まれる。
【００２４】
中央ボディ部１２の上面には、左右に延びた平板状のプラテン１２ａが露出して設けられ、このプラテン１２ａの後側に左右に延びた送りローラ（図示せず）が露出して設けられている。この送りローラは、中央ボディ部１２の内部に設けられた前後駆動モータ１９により回転駆動される。そのため、被印刷対象であるシート状の記録メディアＭを、図示しない装着部（記録メディア装着部）によって上ボディ部１５に設けられたピンチローラ（図示せず）と送りローラとの間に挟持した状態で、コントロールユニット４０からの駆動制御信号に従って前後駆動モータ１９を駆動させることにより、記録メディアＭを駆動制御量に応じた送り量で前後に送ることができるようになっている。なお、記録メディアＭの「装着」には、当該記録メディアＭと印刷装置１０（装着部）との電気的接続（一例として、図示しない配線コネクタ同士の接続）も含まれる。
【００２５】
左ボディ部１４の上部には、装着部（カートリッジ装着部１６）が設けられており、このカートリッジ装着部１６に対して複数のインクカートリッジ１７が前後に挿入されている。このカートリッジ装着部１６は、供給チューブ（図示せず）を介して記録ヘッド２２と接続されている。そして、記録ヘッド２２におけるインクの消費量に応じて、インクカートリッジ１７のインクが供給チューブを介して記録ヘッド２２へ供給されるようになっている。また、左ボディ部１４の内部には、ガイドレール１５ａに沿ってヘッドユニット２０を左右に移動させるための左右駆動モータ２９が設けられている。この左右駆動モータ２９を、コントロールユニット４０からの駆動制御信号に従って駆動させることにより、駆動制御量に応じた送り量で左右に移動させることができるようになっている。なお、インクカートリッジ１７の「装着」には、当該記録インクカートリッジ１７と印刷装置１０（装着部）との電気的接続（一例として、図示しない配線コネクタ同士の接続）も含まれる。
【００２６】
右ボディ部１３の前面側には、操作スイッチ類や表示装置類等から構成された操作表示部１３ａが設けられている。また、右ボディ部１３の内部には、メンテナンスユニット３０およびコントロールユニット４０が設けられている。メンテナンスユニット３０は、記録ヘッド２２の下面形状に応じて形成されるとともに上方に向けて開口したキャップ部材（図示せず）、吸引ポンプ（図示せず）およびキャップ駆動モータ３９を備えて構成される。このキャップ駆動モータ３９を、コントロールユニット４０からの駆動制御信号に従って駆動させることにより、駆動制御量に応じた移動量で上下に移動させることができるようになっている。また、吸引ポンプを駆動させることにより、キャップ部材の内部に負圧を作用させることができるようになっている。
【００２７】
コントロールユニット４０は、図２に示すように、印刷装置１０の各部の動作を制御する制御プログラムが書き込まれたＲＯＭ（Ｒｅａｄ−Ｏｎｌｙ  Ｍｅｍｏｒｙ）４１、記録メディアＭに印刷するためのプログラム等を一時的に記憶するＲＡＭ（Ｒａｎｄｏｍ  Ａｃｃｅｓｓ  Ｍｅｍｏｒｙ）４２、および、ＲＡＭ４２から読み込まれたプログラムや操作表示部１３ａから入力された操作信号等について演算処理を行い、制御プログラムに従って各部の動作を制御する制御部４３から構成される。このコントロールユニット４０は、制御部４３における演算処理結果に基づいて、前後駆動モータ１９、左右駆動モータ２９、キャップ駆動モータ３９、記録ヘッド２２等に駆動制御信号を出力することにより、これらの動作を制御するようになっている。
【００２８】
また、本実施形態に特徴的な構成として、コントロールユニット４０は、メモリとしての本体側記憶部４４を備えている。本体側記憶部４４には、各着脱部材に対応する記憶領域としてメモリが配分されている。一例として、インクカートリッジ１７用のメモリ配分の設定例を図３に、記録ヘッド２２用のメモリ配分の設定例を図４に、記録メディアＭ用のメモリ配分の設定例を図５にそれぞれ示す。同図３に示すように、本体側記憶部４４には、既存着脱部材に関する情報が出荷時に書き込まれた使用済アドレスＡ１と、新規着脱部材の情報が追加書き込み可能な空きアドレスＡ２とが並列に設けられている。図４に示す使用済アドレスＡ３と空きアドレスＡ４、および図５に示す使用済アドレスＡ５と空きアドレスＡ６についても同様である。
【００２９】
また、本実施形態に特徴的な構成として、インクカートリッジ１７、記録ヘッド２２、記録メディアＭに例示される新規着脱部材には、当該新規着脱部材の情報が記憶されたメモリとしての部材側記憶部１７ｍ、２２ｍ、Ｍｍがそれぞれに対応して設けられている（図２参照）。一例として、インクカートリッジ１７に設けられる部材側記憶部１７ｍに記憶された情報の例を図６に、記録ヘッド２２に設けられる部材側記憶部２２ｍに記憶された情報の例を図７に、記録メディアＭに設けられる部材側記憶部Ｍｍに記憶された情報の例を図８にそれぞれ示す。同図６に示すように、部材側記憶部１７ｍ、２２ｍ、Ｍｍに記憶される情報は、着脱部材の固有の特性値である固定情報Ｄ１と、該着脱部材の使用により更新される更新情報Ｄ２とからなる。図７に示す固定情報Ｄ３と更新情報Ｄ４、および図８に示す固定情報Ｄ５と更新情報Ｄ６についても同様である。
【００３０】
なお、上記固定情報Ｄ１、Ｄ３、Ｄ５、および更新情報Ｄ２、Ｄ４、Ｄ６は一例であって、これに限定されるものではない。例えば、固定情報Ｄ１の他の例として、当該着脱部材の製造日を含めることも考えられる。これによれば、既存色のインクカートリッジであっても製造日の情報を取り込むことで、インクカートリッジのインクライフの管理をすることができる効果が得られる。
【００３１】
上記構成を備えて、制御部４３は、新規着脱部材（例えば、インクカートリッジ１７、記録ヘッド２２、もしくは記録メディアＭ）が当該新規着脱部材に対応する装着部へ装着される（電気的接続も行われる）ことに伴って、当該新規着脱部材の情報（前述）を部材側記憶部（例えば、１７ｍ、２２ｍ、もしくはＭｍ）から本体側記憶部４４へ記憶させる動作を行う（動作フローの詳細については後述する）。
これによって、本体側記憶部４４は、着脱部材（例えば、インクカートリッジ１７、記録ヘッド２２、もしくは記録メディアＭ）が新規の未登録のもの（新規着脱部材）である場合に、当該新規着脱部材の情報を、対応する使用済アドレス（例えば、Ａ１、Ａ３、もしくはＡ５）に上書きすることなく、あらかじめ未登録の新規着脱部材向けに用意された対応する空きアドレス（例えば、Ａ２、Ａ４、もしくはＡ６）に記憶することが可能となる。
【００３２】
このとき、未登録の新規着脱部材の固定情報、更新情報についてはあらかじめ記憶する情報を所定情報に限定することとし、且つ、空きアドレスは当該所定情報に対応させて設けておく必要がある。
なお、あらかじめ複数の着脱部材が想定され且つその着脱部材の組合せで制御方法が決まる場合は、それらの組合せ（例えばインクカートリッジと記録メディア）毎に個々のメモリを配分し、空きアドレスに追加することで登録が可能となる。
【００３３】
本体側記憶部４４、および部材側記憶部１７ｍ、２２ｍ、Ｍｍには、一例として、書き換え可能なＲＯＭであるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）が用いられる。ただし、これに限定されるものではなく、フラッシュメモリ等その他の不揮発性メモリを用いることもできる。
【００３４】
以上、印刷装置１０の全体構成について説明した。ここで、着脱部材がインクカートリッジ１７である場合を例に挙げ、本実施形態に係る印刷装置の装着部に当該着脱部材が装着されてから印刷待機の状態に至るまでの動作フローについて説明する。図９はその動作フローの概略を示すフローチャートである。
【００３５】
本実施形態では、印刷装置１０本体の装着部に着脱部材が装着された時点をスタートとして本動作フローを実行する。なお、印刷装置１０本体の電源がオンとなった時点をスタートとしてもよい。
先ず、制御部４３は、カートリッジ装着部１６（装着部）に、インクカートリッジ１７（着脱部材）が装着されたか否かを判断するステップを実行する（ステップＳ１１）。
【００３６】
前記ステップＳ１１における判断の結果、カートリッジ装着部１６にインクカートリッジ１７が装着されていない場合には、制御部４３は、コントロールユニット４０の操作表示部１３ａに、インクカートリッジの取付要求を表示させるステップを実行する（ステップＳ１２）。
【００３７】
一方、カートリッジ装着部１６にインクカートリッジ１７が装着された場合には、制御部４３は、インクカートリッジ１７の部材側記憶部１７ｍに記憶された所定情報（例えばインク名称）を取り込んで、ＲＡＭ４２に記憶させるステップを実行する（ステップＳ１３）。
【００３８】
ステップＳ１３に次いで、制御部４３は、装着されたインクカートリッジ１７が未登録の新規着脱部材であるか、もしくは既に登録済の既存着脱部材であるかを識別するステップを実行する（ステップＳ１４）。ここで、当該識別手段は以下の構成および動作フローを備える。すなわち、制御部４３において、部材側記憶部１７ｍから取り込まれＲＡＭ４２に記憶された所定情報（例えばインク名称）と、本体側記憶部４４に登録されている既存着脱部材の情報（例えばインク名称）とを比較照合することによって、未登録か登録済であるかの識別が行われる。
【００３９】
前記ステップＳ１４における判断の結果、装着されたインクカートリッジ１７が未登録の新規着脱部材である場合には、制御部４３は、インクカートリッジ１７の部材側記憶部１７ｍに記憶された情報（固定情報および更新情報）を取り込んで、ＲＡＭ４２に一時的に記憶させるステップを実行する（ステップＳ１５）。
一方、装着されたインクカートリッジ１７が登録済の既存着脱部材である場合には、後述のステップＳ２０へ移行する。
【００４０】
ステップＳ１５に次いで、制御部４３は、当該未登録の新規着脱部材（インクカートリッジ１７）の情報を操作表示部１３ａに表示させるステップを実行する（ステップＳ１６）。
【００４１】
ステップＳ１７に次いで、制御部４３は、当該未登録のインクカートリッジ１７の情報を本体側記憶部４４に登録（記憶）させるか否かの判断を操作者に要求するステップを実行する（ステップＳ１７）。
【００４２】
前記ステップＳ１７において、操作者が当該未登録のインクカートリッジ１７の情報を本体側記憶部４４に登録（記憶）させると判断して、その旨の指示入力を操作表示部１３ａから行った場合、制御部４３は、インクカートリッジ１７の部材側記憶部１７ｍに記憶された情報（固定情報および更新情報）を取り込んで、本体側記憶部４４の空きアドレスＡ２に記憶させるステップを実行する（ステップＳ１８）。
【００４３】
一方、前記ステップＳ１７において、操作者が当該未登録のインクカートリッジ１７の情報を本体側記憶部４４に登録（記憶）させないと判断して、その旨の指示入力を操作表示部１３ａから行った場合には、当該インクカートリッジ１７の動作に必要な情報（特に固定情報）が取得できず、動作が不可能となることから、前述のステップＳ１２へ移行して、他のインクカートリッジ１７の取付要求を操作表示部１３ａに表示させる。
【００４４】
前記ステップＳ１８が完了することによって、印刷装置１０は、印刷を実行することが可能な印刷待機状態（ステップＳ１９）へ移行する。
【００４５】
続いて、ステップＳ１４によってステップＳ２０に移行した場合の動作フローについて説明する。
前述のステップＳ１４における判断の結果、装着されたインクカートリッジ１７が登録済の既存着脱部材である場合には、ステップＳ２０へ移行する。当該ステップ２０として、当該登録済の既存着脱部材（インクカートリッジ１７）の交換が必要か否かの判断を操作者に要求するステップを実行する。
なお、当該ステップ２０は、印刷装置１０における登録済のインクカートリッジ１７を用いた印刷の実行中もしくは実行後に、操作者が任意のタイミングで操作表示部１３に指示入力をすることによって実行してもよい。
【００４６】
前記ステップＳ２０において、操作者が当該登録済のインクカートリッジ１７の交換が不要と判断して、その旨の指示入力を操作表示部１３ａから行った場合、印刷装置１０は、印刷を実行することが可能な印刷待機状態（ステップＳ１９）へ移行する。
【００４７】
一方、前記ステップＳ２０において、当該登録済のインクカートリッジ１７の交換が必要と判断して、その旨の指示入力を操作表示部１３ａから行った場合には、制御部４３は、インクカートリッジ１７における更新情報を部材側記憶部１７ｍに記憶させるステップを実行する（ステップＳ２１）。
【００４８】
ステップＳ２１に次いで、制御部４３は、インクカートリッジ１７が交換されたか否かを判断するステップを実行する（ステップＳ２２）。
【００４９】
前記ステップＳ２２における判断の結果、インクカートリッジ１７が別のインクカートリッジ１７に交換された場合には、制御部４３は、インクカートリッジ１７の部材側記憶部１７ｍに記憶された所定情報（例えばインク名称）を取り込んで、ＲＡＭ４２に記憶させるステップを実行する（ステップＳ２３）。
一方、インクカートリッジ１７が別のインクカートリッジ１７に交換されていない場合には、前述のステップＳ２０へ移行する。
【００５０】
ステップＳ２３に次いで、制御部４３は、装着されたインクカートリッジ１７が未登録の新規着脱部材であるか、もしくは既に登録済の既存着脱部材であるかを識別するステップを実行する（ステップＳ２４）。ここで、当該識別手段は前述のステップＳ１４の場合と同様であるため説明を省略する。
【００５１】
前記ステップＳ２４における判断の結果、装着されたインクカートリッジ１７が登録済の既存着脱部材である場合には、制御部４３は、インクカートリッジ１７の部材側記憶部１７ｍに記憶された情報（固定情報および更新情報）を取り込んで、本体側記憶部４４に記憶されている既存着脱部材の情報に追加もしくはその一部に上書きさせるステップを実行する（ステップＳ２５）。
一方、装着されたインクカートリッジ１７が未登録の新規着脱部材である場合には、前述のステップＳ１５へ移行する。
【００５２】
前記ステップＳ２５が完了することによって、印刷装置１０は、印刷を実行することが可能な印刷待機状態（ステップＳ１９）へ移行する。
【００５３】
以上の動作フローは、着脱部材がインクカートリッジ１７である場合の例であるが、着脱部材が記録ヘッド２２である場合、あるいは記録メディアＭである場合にも、同様の動作フローとなるため、説明を省略する。ただし、着脱部材に応じて情報（固定情報・更新情報）の内容が異なること、および、当該情報が記憶される本体側記憶部４４内のメモリ配分（アドレス）が異なることは前述の通りである。
【００５４】
以上説明した通り、開示の印刷装置によれば、未登録の新規着脱部材を装着しようとする場合にサービスマン等の人手による印刷装置本体のメモリ交換作業が不要となり、この新規着脱部材を印刷装置の装着部に装着するだけで、新規着脱部材の情報を取り込むことが可能となる。特に、本実施形態によれば、以下の特徴的な作用効果が奏される。
【００５５】
印刷装置１０は、着脱部材としてのインクカートリッジ１７、記録ヘッド２２、もしくは記録メディアＭ等を装着する装着部、および各部の動作を制御する制御部４３を有する印刷装置において、新規の着脱部材であるインクカートリッジ１７、記録ヘッド２２、もしくは記録メディアＭ等の情報を記憶する本体側記憶部４４を有し、インクカートリッジ１７、記録ヘッド２２、もしくは記録メディアＭ等には、当該インクカートリッジ１７、記録ヘッド２２、もしくは記録メディアＭ等の情報が記憶された部材側記憶部１７ｍ、２２ｍ、Ｍｍがそれぞれ設けられており、制御部４３は、インクカートリッジ１７、記録ヘッド２２、もしくは記録メディアＭ等の装着部への装着に伴って、インクカートリッジ１７、記録ヘッド２２、もしくは記録メディアＭ等の情報を読み込んで、部材側記憶部１７ｍ、２２ｍ、Ｍｍから本体側記憶部４４へ記憶させる。これによれば、インクカートリッジ１７、記録ヘッド２２、もしくは記録メディアＭ等を印刷装置１０（ここでは、対応する装着部）に装着するだけで、インクカートリッジ１７、記録ヘッド２２、もしくは記録メディアＭ等に関する情報を印刷装置１０本体（ここでは、本体側記憶部４４）に移植することが可能となる。
【００５６】
また、本体側記憶部４４は、新規着脱部材（インクカートリッジ１７、記録ヘッド２２、もしくは記録メディアＭ等）の情報を、既存着脱部材（インクカートリッジ１７、記録ヘッド２２、もしくは記録メディアＭ等）の情報と並列に記憶する記憶領域を有する。これによれば、新規着脱部材の情報を、既存着脱部材の情報に上書きすることなく、本体側記憶部４４に記憶させることが可能となる。
【００５７】
また、制御部４３は、装着部に装着された着脱部材（インクカートリッジ１７、記録ヘッド２２、もしくは記録メディアＭ等）が新規着脱部材もしくは既存着脱部材のいずれであるかを識別し、新規着脱部材である場合には、当該新規着脱部材の部材側記憶部１７ｍ、２２ｍ、Ｍｍ等に記憶されている情報を読み込んで、既存着脱部材の情報と並列に、本体側記憶部４４へ記憶させる。これによれば、着脱部材（インクカートリッジ１７、記録ヘッド２２、もしくは記録メディアＭ等）が新規着脱部材もしくは既存着脱部材のいずれであるかを識別することができ、新規着脱部材である場合にその情報を装置本体（ここでは本体側記憶部４４）に新たに記憶させることが可能となる。
【００５８】
また、制御部４３は、装着部に装着された着脱部材（インクカートリッジ１７、記録ヘッド２２、もしくは記録メディアＭ等）が新規着脱部材もしくは既存着脱部材のいずれであるかを識別し、既存着脱部材である場合には、当該既存着脱部材の部材側記憶部１７ｍ、２２ｍ、Ｍｍ等に記憶されている情報を読み込んで、本体側記憶部４４に記憶されている既存着脱部材の情報に追加もしくはその一部に上書きさせる。これによれば、着脱部材（インクカートリッジ１７、記録ヘッド２２、もしくは記録メディアＭ等）が新規着脱部材もしくは既存着脱部材のいずれであるかを識別することができ、既存着脱部材である場合にその情報を装置本体（ここでは本体側記憶部４４）において更新させることが可能となる。
【００５９】
また、前記情報は、インクカートリッジ１７、記録ヘッド２２、もしくは記録メディアＭ等の固有の特性値である固定情報と、当該インクカートリッジ１７、記録ヘッド２２、もしくは記録メディアＭ等の使用により更新される更新情報と、からなる。これによれば、インクカートリッジ１７、記録ヘッド２２、もしくは記録メディアＭ等の固有の特性値および使用により更新される情報のいずれも本体側記憶部４４に記憶させることが可能となる。
【００６０】
記録メディアＭは、印刷装置１０の装着部に装着される新規着脱部材としての記録メディアにおいて、当該新規着脱部材の情報が記憶された部材側記憶部Ｍｍが設けられている。これによれば、印刷装置１０において、装着するだけで新規着脱部材の情報を印刷装置本体側に移植することが可能な記録メディアが実現される。
【００６１】
インクカートリッジ１７は、印刷装置１０の装着部に装着される新規着脱部材としてのインクカートリッジにおいて、当該新規着脱部材の情報が記憶された部材側記憶１７ｍが設けられている。これによれば、印刷装置１０において、装着するだけで新規着脱部材の情報を印刷装置本体側に移植することが可能なインクカートリッジが実現される。
【００６２】
記録ヘッド２２は、印刷装置１０の装着部に装着される新規着脱部材としての記録ヘッドにおいて、当該新規着脱部材の情報が記憶された部材側記憶部２２ｍが設けられている。これによれば、印刷装置１０において、装着するだけで新規着脱部材の情報を印刷装置本体側に移植することが可能な記録ヘッドが実現される。
【００６３】
なお、本発明は、以上説明した実施形態に限定されることなく、本発明を逸脱しない範囲において種々変更可能であることは言うまでもない。特に、印刷装置としてインクジェットプリンタを例に挙げて説明したが、これに限定されるものではなく、その他の装置に対しても適用が可能である。同様に、記録ヘッドに関しても、インクジェットヘッドに限定されるものではない。
【００６４】
また、着脱部材として、インクカートリッジ、記録ヘッド、記録メディアを例に挙げて説明したが、これに限定されるものではない。着脱部材の他の例として、記録メディアを巻き取る巻取り装置、あるいは記録前、中、後において記録メディアを温めてインクを乾燥させるヒーター等が挙げられる。
【符号の説明】
【００６５】
１０  印刷装置
１１  支持脚
１２  中央ボディ部
１２ａ  プラテン（媒体支持手段）
１３  右ボディ部
１３ａ  操作表示部
１４  左ボディ部
１５  上ボディ部
１５ａ  ガイドレール（ガイドレール部材）
１６  カートリッジ装着部（装着部）
１７  インクカートリッジ
１７ｍ  インクカートリッジの部材側記憶部
２０  ヘッドユニット
２１  キャリッジ
２２  記録ヘッド
２２ｍ  記録ヘッドの部材側記憶部
４０  コントロールユニット
４１  ＲＯＭ
４２  ＲＡＭ
４３  制御部
４４  本体側記憶部
Ｍ  記録メディア
Ｍｍ  記録メディアの部材側記憶部
【図１】
2012236333.tif 000003
【図２】
2012236333.tif 000004
【図３】
2012236333.tif 000005
【図４】
2012236333.tif 000006
【図５】
2012236333.tif 000007
【図６】
2012236333.tif 000008
【図７】
2012236333.tif 000009
【図８】
2012236333.tif 000010
【図９】
2012236333.tif 000011